(57)【特許請求の範囲】
【請求項１】
顧客管理サーバにより、
（Ａ）複数の顧客端末のアクセスポイント接続により送信される顧客端末の識別情報と店舗内の顧客グループの識別情報とを含むそれぞれの顧客端末情報を受信し、
（Ｂ）受信した前記店舗内の顧客グループの識別情報に基づいて、同一の店舗内の顧客グループから接続した複数の顧客端末を同一のグループに設定し、設定された前記グループを顧客のソーシャル情報として前記グループに含まれた顧客端末に対応する顧客情報に保存すること、
を含み、
前記店舗内の顧客グループの識別情報は、パスワード及び前記顧客端末の接続時間の情報を含み、
前記（Ｂ）段階は、前記パスワードが同一の複数の顧客端末を同一のグループに設定することを特徴とするアクセスポイントの接続パスワードの多重化割り当てによる顧客関係管理方法。
【請求項２】
前記パスワードはテーブル情報であり、
前記（Ｂ）段階は、前記テーブル情報が同一であり、前記接続時間の情報が特定のテーブルの単位営業時間に含まれる複数の顧客端末を同一のグループに設定することを特徴とする請求項１に記載のアクセスポイントの接続パスワードの多重化割り当てによる顧客関係管理方法。
【請求項３】
前記（Ｂ）段階は、前記グループに含まれた顧客端末に対応する顧客情報において、顧客のソーシャル情報として既に設定されたグループがある顧客端末が存在する場合、前記既に設定されたグループを顧客のソーシャル情報として前記グループに含まれた他の顧客端末の顧客情報内に保存することを特徴とする請求項１に記載のアクセスポイントの接続パスワードの多重化割り当てによる顧客関係管理方法。
【請求項４】
前記（Ｂ）段階は、前記グループに含まれた顧客端末の顧客情報において、顧客のソーシャル情報として既に設定されたグループが互いに異なる複数の顧客端末が存在し、前記互いに異なる複数の既に設定されたグループを一つのグループに統合し、前記統合されたグループを顧客のソーシャル情報として利用することを特徴とする請求項３に記載のアクセスポイントの接続パスワードの多重化割り当てによる顧客関係管理方法。
【請求項５】
（Ｃ）前記顧客端末の顧客情報から活動情報を抽出して更新し、前記顧客情報が存在しない場合には、新規顧客として顧客情報を生成することをさらに含むことを特徴とする請求項１に記載のアクセスポイントの接続パスワードの多重化割り当てによる顧客関係管理方法。
【請求項６】
（Ｄ）ＰＯＳ端末から送信される前記グループの注文情報を受信し、受信した前記注文情報を前記グループに含まれる前記顧客端末の前記顧客情報に保存することをさらに含むことを特徴とする請求項１に記載のアクセスポイントの接続パスワードの多重化割り当てによる顧客関係管理方法。
【請求項７】
（Ｅ）前記グループに含まれる前記顧客端末の前記顧客情報を利用して前記グループに対する顧客指数を算出し、
（Ｆ）算出された前記顧客指数に基づき、前記グループに対してイベントを提供するか否かを判断し、イベント提供対象に該当する場合、前記顧客指数と前記グループに含まれる顧客端末の顧客情報とに基づき、イベント情報を生成し、ＰＯＳ端末に送信すること、
をさらに含むことを特徴とする請求項１に記載のアクセスポイントの接続パスワードの多重化割り当てによる顧客関係管理方法。
【請求項８】
前記（Ｅ）段階は、前記グループに含まれる顧客端末の数及び前記顧客情報の顧客活動情報に基づき顧客指数を算出することを特徴とする請求項７に記載のアクセスポイントの接続パスワードの多重化割り当てによる顧客関係管理方法。
【請求項９】
（Ｇ）ＰＯＳ端末から送信される前記グループの支払者の情報を受信し、前記受信した支払者の情報を、対応する前記顧客端末の前記顧客情報に保存する段階をさらに含むことを特徴とする請求項１に記載のアクセスポイントの接続パスワードの多重化割り当てによる顧客関係管理方法。
【請求項１０】
（Ｈ）前記グループに対する支払完了後、前記グループに含まれる前記顧客端末の前記顧客情報の顧客活動情報と、前記（Ｇ）段階で受信した前記支払者の情報とに基づき、各顧客の活動ポイントを算出し、算出した前記活動ポイントを前記顧客情報に保存することをさらに含むことを特徴とする請求項９に記載のアクセスポイントの接続パスワードの多重化割り当てによる顧客関係管理方法。
【請求項１１】
（Ｉ）前記グループに含まれた顧客全員の総活動ポイントに基づいて、前記グループのリーダーを選択し、前記選択されたリーダーの顧客情報にグループリーダー情報を保存することをさらに含むことを特徴とする請求項１０に記載のアクセスポイントの接続パスワードの多重化割り当てによる顧客関係管理方法。
【請求項１２】
（Ｊ）前記アクセスポイントから送信される特定の顧客端末のインターネット利用情報を受信し、受信した前記インターネット利用情報を前記顧客端末の前記顧客情報に保存することをさらに含むことを特徴とする請求項１に記載のアクセスポイントの接続パスワードの多重化割り当てによる顧客関係管理方法。
【請求項１３】
アクセスポイントの接続パスワードの多重化割り当てによる顧客関係管理方法を実行する顧客管理サーバであって、
複数の顧客端末のアクセスポイント接続により送信される顧客端末の識別情報及び店舗内の顧客グループの識別情報をそれぞれ含む顧客端末情報を受信し、受信した店舗内の顧客グループの識別情報に基づいて、同一の店舗内の顧客グループから接続した複数の顧客端末を同一のグループに設定し、設定された前記グループを顧客のソーシャル情報として前記グループに含まれた前記顧客端末に対応する顧客情報に保存する顧客情報管理部を含み、
前記店舗内の顧客グループの識別情報は、パスワード及び前記顧客端末の接続時間の情報を含み、
前記顧客情報管理部は、前記パスワードが同一の複数の顧客端末を同一のグループに設定することを特徴とする顧客管理サーバ。
【請求項１４】
前記グループに含まれた前記顧客端末に対応する顧客情報に、顧客のソーシャル情報として既に設定されたグループがある前記顧客端末が存在する場合、前記顧客情報管理部は、前記既に設定されたグループを前記顧客のソーシャル情報として前記グループに含まれる他の顧客端末の顧客情報に保存することを特徴とする請求項１３に記載の顧客管理サーバ。
【請求項１５】
前記顧客情報管理部は、ＰＯＳ端末から送信される前記グループの注文情報を受信し、前記グループに含まれる前記顧客端末の前記顧客情報に保存することを特徴とする請求項１３に記載の顧客管理サーバ。
【請求項１６】
前記グループに含まれる前記顧客端末の前記顧客情報を利用して前記グループに対する顧客指数を算出し、算出された前記顧客指数に基づいて、前記グループに対してイベントを提供するか否かを判断するイベント管理部をさらに含むことを特徴とする請求項１３に記載の顧客管理サーバ。
【請求項１７】
前記イベント管理部は、前記顧客指数と前記グループに含まれる前記顧客端末の前記顧客情報に基づいて、イベント情報を生成し、生成された前記イベント情報をＰＯＳ端末に送信することを特徴とする請求項１６に記載の顧客管理サーバ。
【請求項１８】
前記顧客情報管理部は、ＰＯＳ端末から送信される前記グループの支払者の情報を受信し、受信した前記支払者の情報を対応する顧客端末の顧客情報に保存することを特徴とする請求項１３に記載の顧客管理サーバ。
【請求項１９】
請求項１乃至１２の何れか一項に記載の方法を行うプログラムを記録したコンピュータ読み取り可能な記録媒体。
【発明の詳細な説明】
【技術分野】
【０００１】
本発明は、アクセスポイントの接続パスワードの多重化割り当てによる顧客関係管理方法、顧客管理サーバ及びコンピュータ読み取り可能な記録媒体に関し、より詳細には、テーブル毎に割り当てられた接続パスワードが設定されたアクセスポイントを利用して、顧客端末のアクセスポイントに接続する際に入力される接続パスワードに基づき、該当する顧客端末を操作する顧客が属する店舗内のグループを識別し、これによる顧客情報を収集することができるアクセスポイントの接続パスワードの多重化割り当てによる顧客関係管理方法、顧客管理サーバ及びコンピュータ読み取り可能な記録媒体に関する。
【背景技術】
【０００２】
ＣＲＭ（Ｃｕｓｔｏｍｅｒ  Ｒｅｌａｔｉｏｎｓｈｉｐ  Ｍａｎａｇｅｍｅｎｔ；顧客関係管理）は、企業が顧客関係を管理するために必要な方法論やソフトウェアなどを示す用語であり、現在の顧客と潜在的な顧客に対する情報を整理、分析してマーケティング情報に変換することで、顧客の購買に関する行動を指数化し、これに基づき、マーケティングプログラムを開発、実現、修正する顧客中心の経営方法を意味する。
【０００３】
このようなＣＲＭは、様々な種類に分類できるが、大体、戦略中心ＣＲＭ（ｓｔｒａｔｅｇｙ  ｆｏｃｕｓｅｄ  ＣＲＭ）、データベース中心ＣＲＭ（ｄａｔａｂａｓｅ  ｆｏｃｕｓｅｄ  ＣＲＭ）、分析中心ＣＲＭ（ａｎａｌｙｓｉｓ  ｆｏｃｕｓｅｄ  ＣＲＭ）、顧客接点管理中心ＣＲＭ（ｉｎｔｅｒｆａｃｅ  ｍａｎａｇｅｍｅｎｔ  ｆｏｃｕｓｅｄ  ＣＲＭ）、個人化中心ＣＲＭ（ｐｅｒｓｏｎａｌｉｚａｔｉｏｎ  ｆｏｃｕｓｅｄ  ＣＲＭ）などに分類することができる。
【０００４】
このようなＣＲＭのうち、特に、個人化中心ＣＲＭは、顧客一人一人にどのように製品やサービス、補償などを差別化するかに注目したものであり、これにより各個人に提供される製品やサービスの質を最上に設定することができ、好循環により提供対象の範囲を拡張することができる。
【０００５】
従って、ＣＲＭ、特に、個人化中心ＣＲＭにおいて、顧客の情報をどのような方式で取得できるか、さらに顧客に対するどのような良質の情報を取得できるかが問題になる。
【０００６】
通常、従来の飲食業界などを含む各店舗の場合、マーケティング戦略及び顧客管理に当たり、ポイントカード、割引カードなどの会員カードの発行、カード会社及び通信会社との提携、インターネットマーケティングを活用している。
【０００７】
会員カードを利用して顧客情報を取得する方法は、会員カード発行時に取得される顧客の個人情報と会員カードを利用して物品の購買又はサービス利用による代金支払時に提供される購買情報を利用してＣＲＭに適用する方法である。しかし、このような会員カードを利用する方法の場合、別途の会員登録手続きを必ず済ませなければならず、全顧客のうち一部の積極的な顧客のみが会員登録を行うため、取得できる顧客の情報が限定されるという問題点がある。また、２名以上の顧客が訪問した場合、支払時に会員カードを利用するとしても同行した顧客に対する情報を取得することができないという問題点がある。また、支払時でなければ会員カードに対応する顧客の情報を認知することができないため、顧客が店舗を訪問した時点で個人向けサービスを提供することができないという問題点がある。
【０００８】
また、インターネットマーケティングの場合、店舗のホームページを利用してオンライン会員登録を誘導し、会員登録時に取得される顧客の個人情報をＣＲＭに適用する方法であるが、オンライン会員の購買情報を実際に反映することが難しく、Ｅ−メール、ＳＭＳなどを利用したイベント案内、クーポン発送などのみに活用されているという問題点がある。
【０００９】
一方、近年、スマートフォン、パームトップ、ＰＤＡ、ネットブックなど無線データ通信可能な携帯型電子通信機が広く普及してきていることに伴い、携帯型電子通信機器を利用した無線インターネットの利用が急増している。無線インターネットを利用するためには、サービス提供者の有料サービスに登録したり又は移動通信会社の無線データ網を有料で利用したりしなければならなかった。このような点を鑑みて無線インターネットサービスを利用した新たなマーケティング方法が提案されている。「スポンサードアクセス（Ｓｐｏｎｓｏｒｅｄ  Ａｃｃｅｓｓ）」又は「スポンサードワイファイ（Ｓｐｏｎｓｏｒｅｄ  Ｗｉ−Ｆｉ）」とは、企業間（Ｂ２Ｂ）協同モデルの一環であり、無料インターネットを提供する特定店舗を訪問した顧客を対象にターゲット広告を露出する代わりに、訪問顧客が無料で無線インターネットサービスを利用できるようにする。広告主は所望のメイン画面あるいはコンテンツを自由に顧客に露出することにより広告効果を期待することができ、顧客は無料で無線インターネットに接続できるという長所がある。しかし、このようなスポンサードワイファイの場合、一般的な広告のみを露出でき、顧客の情報を取得してマーケティングに利用することはできないという問題点がある。
【先行技術文献】
【特許文献】
【００１０】
【特許文献１】韓国登録特許第１０−０９７０５８７号
【発明の概要】
【発明が解決しようとする課題】
【００１１】
本発明の第一の目的は、アクセスポイントの接続パスワードの多重化割り当てにより、顧客端末の接続パスワードに基づき、顧客端末を操作する顧客が属する店舗内のグループを識別し、ＰＯＳ端末と連携して顧客の情報を具体的に収集可能な顧客関係管理方法、顧客管理サーバ及びコンピュータ読み取り可能な記録媒体を提供することにある。
【００１２】
本発明の第二の目的は、アクセスポイントの接続パスワードの多重化割り当てにより、店舗を訪れた同行者のうち無線ＬＡＮを利用する多数の顧客に対する情報を取得可能な顧客関係管理方法、アクセスポイント、顧客管理サーバ及びコンピュータ読み取り可能な記録媒体を提供することにある。
【００１３】
本発明の第三の目的は、顧客が店舗を訪問した場合、支払前の顧客を識別し、顧客のタイプに応じて先行的な個人対応サービスを提案可能な顧客関係管理方法、顧客管理サーバ及びコンピュータ読み取り可能な記録媒体を提供することにある。
【００１４】
本発明の第四の目的は、店舗を訪れた同行者を同一の友達のグループに分類し、該当する友達のグループのオピニオンリーダーを選定して、リーダーに対して集中的にマーケティングを実施可能な顧客関係管理方法、顧客管理サーバ及びコンピュータ読み取り可能な記録媒体を提供することにある。
【課題を解決するための手段】
【００１５】
本発明の一実施形態によると、顧客管理サーバにより、（Ａ）複数の顧客端末のアクセスポイント接続により送信される顧客端末の識別情報及び店舗内の顧客グループの識別情報を含むそれぞれの顧客端末情報を受信する段階と、（Ｂ）前記受信した店舗内の顧客グループの識別情報に基づき、同一の店舗内の顧客グループから接続した複数の顧客端末を同一のグループに設定し、設定された前記グループを顧客のソーシャル情報として前記グループに含まれた顧客端末に対応する顧客情報内に保存する段階と、を含むことを特徴とするアクセスポイントの接続パスワードの多重化割り当てによる顧客関係管理方法が提供される。
【００１６】
本発明の他の実施形態によると、アクセスポイントの接続パスワードの多重化割り当てによる顧客関係管理方法を行う顧客管理サーバであって、複数の顧客端末のアクセスポイント接続により送信される顧客端末の識別情報及び店舗内の顧客グループの識別情報を含むそれぞれの顧客端末情報を受信し、前記受信した店舗内の顧客グループの識別情報に基づき、同一の店舗内の顧客グループから接続した複数の顧客端末を同一のグループに設定し、設定された前記グループを顧客のソーシャル情報として前記グループに含まれた顧客端末に対応する顧客情報内に保存する顧客情報管理部を含むことを特徴とする顧客管理サーバが提供される。
【００１７】
一方、アクセスポイントの接続パスワードの多重化割り当てによる顧客関係管理方法のための各段階は、サーバコンピュータで読み取り可能な記録媒体に保存されてもよい。このような記録媒体は、コンピュータシステムによって読み取り可能なプログラム及びデータが保存される全種類の記録媒体を含む。例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）−ＲＯＭ、磁気テープ、フロッピー（登録商標）ディスク、光データ記憶装置などがあり、またキャリア波（例えば、インターネットによる送信）の形で実装されるものも含む。また、このような記録媒体は、ネットワークで接続されたコンピュータシステムに分散され、分散方式によりコンピュータの読み取り可能なコードが保存され、実行されてもよい。
【発明の効果】
【００１８】
上述したように、本発明によると、顧客端末の接続パスワードに基づき、顧客端末を操作する顧客が属する店舗内のグループを識別し、ＰＯＳ端末と連携して顧客の情報を具体的に収集できるという効果がある。
【００１９】
また、本発明によると、店舗を訪れた同行者のうち無線ＬＡＮを利用する多数の顧客に対する情報を取得できるという効果がある。
【００２０】
また、本発明によると、顧客が店舗を訪問した場合、支払前の顧客を識別し、顧客のタイプによって先行的な個人対応サービスを提案できるという効果がある。
【００２１】
また、本発明によると、店舗を訪れた同行者を同一の友達グループに分類し、該当する友達グループのオピニオンリーダーを選定して、リーダーに対して集中的にマーケティングを行うことができるという効果がある。
【図面の簡単な説明】
【００２２】
【図１】本発明の好ましい一実施形態によるアクセスポイントと顧客管理サーバを含む全体的なシステムを示した概略図である。
【図２】本発明の一実施形態による顧客管理サーバの詳細な構成を示す図である。
【図３】本発明の一実施形態によるアクセスポイントで行われる顧客端末の識別処理及び情報取得処理を示すフローチャートである。
【図４】本発明の一実施形態による顧客管理サーバで行われる顧客情報の取得及び管理の処理を示すフローチャートである。
【図５】本発明の一実施形態によるアクセスポイントで接続した顧客端末情報を取得する一例を示す図である。
【図６】本発明の実施形態による顧客管理サーバに保存される顧客情報の一例を示す図である。
【発明を実施するための形態】
【００２３】
後述する本発明についての詳細な説明において、本発明を実施可能な特定の実施例を示す添付の図面を参照する。これら実施例は当業者が本発明を十分に実施することができるように詳細に説明される。本発明の様々な実施例は相異しても相互排他的である必要はないということが理解されるべきである。例えば、本明細書の一実施例に記載されている特定の形状、構造及び特性は、本発明の思想及び範囲を外れずに他の実施例に実装することができる。また、開示された夫々の実施例の個別の構成要素の位置又は配置は、本発明の思想及び範囲を外れずに変更できるということが理解されるべきである。従って、後述する詳細な説明は、限定的な意味に制限しようとする意図ではない。本発明の範囲は、適切に説明されれば、その請求項が主張するものと均等な全ての範囲と共に添付された請求項によってのみ限定される。図面において類似の参照符号は様々な側面に亘って同一又は類似の機能を示すものとして用いる。
【００２４】
以下、本発明が属する技術分野における通常の知識を有した者が本発明を容易に実施することができるように、本発明の実施形態について添付の図面を参照して詳細に説明する。
【００２５】
本発明の実施形態において、「顧客端末の識別情報」とは、顧客端末を識別することができる固有の情報であり、製品のシリアル番号、ＭＡＣアドレス（ハードウェアアドレス、ＭＡＣ  ａｄｄｒｅｓｓ）、携帯電話番号のうち何れか一つの情報であってもよいが、これに限定されず、顧客端末に与えられた端末固有の識別情報としてアクセスポイントで取得可能な様々な種類の情報を含む概念である。
【００２６】
また、「店舗内の顧客グループ」とは、店舗訪れた少なくとも１名以上の顧客を意味する概念であり、現在の店舗内で店舗を訪れた顧客グループをグループ別に識別するための相対的な概念である。
【００２７】
また、「顧客端末情報」とは、アクセスポイントから生成され、顧客管理サーバに送信される情報であり、顧客端末の識別情報、顧客端末を操作する顧客が属する店舗内の顧客グループの識別情報、顧客端末がアクセスポイントに接続した接続時間などを含む情報を意味する。
【００２８】
また、「顧客情報」とは、顧客に対して収集され、顧客管理サーバに保存される全ての情報であり、「活動情報」、「ソーシャル情報」、「活動ポイント」を含む。「活動情報」とは、顧客の訪問履歴、訪問回数、注文履歴など顧客が行った一連の活動に対する情報を意味し、「活動ポイント」とは、顧客の活動情報に基づいて算出される顧客のロイヤルティーを数値化した情報を意味し、「ソーシャル情報」とは、顧客が関係を結んでいる他の顧客との関係に対する情報を意味する。
【００２９】
また、「テーブルの単位営業時間」とは、特定のテーブルに顧客が滞在する時間を意味し、絶対的な時間の概念ではなく、相対的な時間の概念であり、注文時間、支払時間など一連の顧客の到着、出発を認知することができる時間基づく概念である。
【００３０】
また、「顧客指数」とは、店舗を訪問した顧客の同行者に対する営業的価値を数値化した情報を意味し、同一のテーブルに属する識別した顧客の人数、識別された顧客の活動情報、活動ポイントなどに基づいて算出され、適したマーケティングソリューションを決定する基本情報として利用される情報である。
【００３１】
全体的なシステム構成
図１は、本発明の一実施形態によるアクセスポイント及び顧客管理サーバを含む全体的なシステムを示した概略図である。以下、図１を参照して本発明によるアクセスポイント及び顧客管理サーバを含む全体的なシステムについて説明する。
【００３２】
図１に示すように、本発明によるシステムは、顧客端末１１０、アクセスポイント１２０、ＰＯＳ（Ｐｏｉｎｔ  ｏｆ  Ｓａｌｅ）端末１３０、顧客管理サーバ１４０及びネットワーク１７０を含んでもよい。
【００３３】
先ず、本発明の一実施形態によるシステムは、システムを運営する店舗を訪問する顧客グループに、訪問した顧客グループ別に店舗内に設けられたアクセスポイント１２０を利用できる接続パスワードを提供することにより、各顧客グループに属する顧客がインターネットサービスを利用できるように構成される。本発明による顧客グループ別のアクセスポイント１２０の接続パスワードは、実施形態の構成に応じて２つの方法で顧客に提供されてもよい。
【００３４】
先ず、本発明の一実施形態によると、店舗内のそれぞれのテーブル１００には、各テーブル別にアクセスポイント１２０に接続するための固有の接続パスワードが割り当てられ、店舗内の特定顧客グループに提供されてもよい。即ち、１番テーブルの接続パスワードは１１１１、２番テーブルの接続パスワードは２２２２のように、店舗内の各テーブルに、テーブル別にアクセスポイント１２０に接続するための固有の接続パスワードが割り当てられ、顧客は顧客グループが位置するテーブルに割り当てられた接続パスワードを利用してアクセスポイント１２０に接続する。このような実施形態において、本発明によるアクセスポイント１２０は、顧客端末１１０がアクセスポイント１２０に接続するために送信した接続パスワードにより顧客が属するテーブル（店舗内の顧客グループ）を識別できるように構成される。テーブル別に割り当てられた固有の接続パスワードは、実施形態によって様々な方法で顧客に案内されてもよい。一実施形態によると、固有の接続パスワードは印刷され又はステッカー形式に製作され、テーブル又はテーブルに備えられる物品に添付してもよい。また、他の実施形態によると、システムは、テーブル１００それぞれに所定のディスプレイ装置（図示せず）が備えられ、備えられたディスプレイ装置により、利用方法及びテーブルに割り当てられた固有の接続パスワードが案内されるように構成されてもよい。このような方式により実施形態が構成される場合、パスワードを変更する場合、変更されたパスワードを顧客に容易に案内することができ、また、メニューの説明、店舗広告などの情報を顧客に露出することができるという長所がある。
【００３５】
一方、本発明の他の実施形態によると、システムは、アクセスポイント１２０に接続するための接続パスワードは、顧客が店舗を訪問した時点で訪問した顧客に通知され、該当する顧客（グループ）に割り当てるように構成されてもよい。即ち、システムは、テーブル別に固有の接続パスワードを割り当てず、店舗を訪問した顧客に一時的にアクセスポイント１２０に接続できる顧客グループ別のパスワードを提供する方式で構成されてもよい。この場合、同一の顧客グループ別の固有の接続パスワードを利用してアクセスポイント１２０に接続する顧客は、現在の店舗内で同一のグループに属していると判断する。このような実施形態において、顧客に提供されるアクセスポイントの接続パスワードは、顧客が店舗を訪問した時点でＰＯＳ端末１３０から生成されて顧客に提供されたり、又は予め設定されている顧客グループ別のパスワード（例えば、１番目の訪問顧客グループには１１１１という接続パスワード、２番目の訪問顧客グループには２２２２という接続パスワードが割り当てられるように設定された方式）のうち現在他の顧客グループによって使用されていない顧客グループ別の接続パスワードから選択される何れか一つが顧客に提供されたりしてもよい。
【００３６】
店舗を訪問した顧客グループに予め設定された顧客グループ別の接続パスワードのうち一つを提供するように構成された実施形態の場合、店舗内の顧客グループに１対１に対応する複数の接続パスワードがアクセスポイント１２０に保存され、アクセスポイント１２０は顧客端末１１０から送信された接続パスワードに基づき、該当する顧客端末１１０が属する店舗内の顧客グループを識別し、識別された店舗内の顧客グループの識別情報を顧客管理サーバ１４０に送信する。
【００３７】
リアルタイムでＰＯＳ端末１３０によって顧客グループ別のパスワードが生成される場合、顧客グループ別のパスワードの生成と同時に生成された接続パスワードがアクセスポイント１２０に送信されて保存されてもよい。例えば、顧客が店舗内のカウンターに行って直接注文をする形の店舗（など）の場合、ＰＯＳ端末１３０は、店員（マネージャ）の操作によって顧客（グループ）別に割り当てられるアクセスポイントの接続パスワードを生成し、生成されたパスワード及び顧客の注文内容を含むオーダーシートを出力する。また、生成されたパスワードが含まれたオーダーシートは、店員によって該当する顧客に提供されるように構成してもよい。同様に、店員が顧客のテーブルに行って注文を受ける形の店舗（飲食店など）の場合、注文を受けるために顧客のテーブルに行った店員が注文を受ける前に、ＰＯＳ端末１３０により生成／出力された接続パスワードを顧客に提供してもよく、又は注文を受けた後、接続パスワードが印刷されたオーダーシートを顧客に提供してもよい。また、このような方式で構成される実施形態の場合、パスワードが各テーブルに割り当てられないため、ＰＯＳ端末１３０は、顧客別の接続パスワードと共に顧客のテーブル情報又は顧客を識別できる顧客識別情報を生成してアクセスポイント１２０に送信するように構成してもよい。また、この際に生成される顧客のテーブル情報又は顧客識別情報は、注文／購買情報を顧客情報と関連して保存するために利用される。
【００３８】
以上で説明したように、本発明によるシステムは、店舗を訪問した顧客グループを識別できるように構成されたアクセスポイントの接続パスワードに基づき、店舗内の顧客グループを識別した後、識別された店舗内の顧客グループの識別情報（テーブル別にパスワードが割り当てられる場合にはテーブル情報、訪問顧客グループ別にパスワードが割り当てられる場合には訪問顧客グループ情報）を利用できるように構成される。
【００３９】
以下、説明の便宜上、店舗内の各テーブルに、テーブル別にアクセスポイント１２０に接続するための固有の接続パスワードが割り当てられる実施形態に基づいて説明するが、本発明の重要な技術的要旨は、アクセスポイント１２０に接続するためのパスワードがテーブルに割り当てられるのではなく、顧客別に生成されて顧客に提供されることにあるため、このような要旨を含む限り、実施形態に関係なく、本発明の権利範囲に属することは当業者にとって自明である。
【００４０】
顧客端末１１０は、顧客の操作によって店舗内に備えられたアクセスポイント１２０に接続し、無線インターネットを利用できる機能を有する携帯型情報通信機器を意味し、ノートパソコン、パームトップ（Ｐａｌｍｔｏｐ）、個人用の携帯情報端末（ｐｅｒｓｏｎａｌ  ｄｉｇｉｔａｌ  ａｓｓｉｓｔａｎｔ；ＰＤＡ）、ネットブック、ウェブパッド、スマートフォンを含む移動通信端末などのようにメモリー手段を備え、マイクロプロセッサを搭載して演算能力を備えたデジタル機器であれば、本発明による顧客端末１１０として用いることができる。顧客端末１１０は、顧客の操作によって店舗内備えられたアクセスポイント１２０が提供する無線ネットワークを検索して表示し、該当する無線ネットワークが選択される場合、顧客の操作によって入力されるテーブル別の接続パスワードを含む接続要求をアクセスポイント１２０に送信し、アクセスポイント１２０に接続される。
【００４１】
アクセスポイント（Ａｃｃｅｓｓ  Ｐｏｉｎｔ）１２０は、無線ＬＡＮ環境を実装するための無線接続装置であり、ＩＥＥＥ８０２．１１技術規格による無線ＬＡＮ（Ｗｉ−Ｆｉ（ｗｉｒｅｌｅｓｓ  ｆｉｄｅｌｉｔｙ））をサポートするが、必ずしもこれに限定されるものではない。また、以下で説明の便宜上、独立した装置として実装されたアクセスポイントに基づいて説明するが、アクセスポイントの役目を果たす様々な公知の装置に対しても同一の技術的思想を適用することができることは当業者にとって自明である。
【００４２】
本発明の好ましい一実施形態によるアクセスポイント１２０は、それぞれのテーブル別に割り当てられた固有の接続パスワードを保存しており、接続された顧客端末１１０が接続時に使用した接続パスワードを利用して顧客端末１１０が属するテーブルを識別し、識別されたテーブル情報、顧客端末の識別情報及び接続時間を含む顧客端末情報を生成し、顧客管理サーバ１４０に送信する役目を果たす。このような本発明によるアクセスポイント１２０の詳細な構成及び機能については後述する。
【００４３】
一方、上述したように、アクセスポイント１２０に接続するためのパスワードが各テーブルに割り当てられず、店舗を訪問した訪問顧客グループ別に割り当てられ、顧客グループに提供されるように構成された実施形態において、アクセスポイント１２０は、保存された訪問顧客グループ別の接続パスワードテーブルに参照して、顧客がアクセスポイント１２０に接続時に使用した接続パスワードを利用して顧客端末が属する訪問顧客グループを識別し、識別された訪問顧客グループ情報（店舗内の顧客グループの識別情報）及び顧客端末の識別情報を含む顧客端末情報を生成し、顧客管理サーバ１４０に送信する役目を果たす。
【００４４】
本発明の一実施形態によるＰＯＳ端末１３０は、顧客の注文によるテーブル別の注文情報及び顧客の代金支払によるテーブル別の支払情報を顧客管理サーバ１４０に送信する役目を果たす。一方、図１に図示されていないが、本発明によるシステムは、アクセスポイント１２０及び顧客管理サーバ１４０の設定及び機能を制御し、アクセスポイント１２０及び顧客管理サーバ１４０から送信される顧客関連情報を受信して出力することができる管理者端末をさらに含むことができる。このような管理者端末とＰＯＳ端末１３０が一つの装置として実装されることができることは当業者にとって自明である。
【００４５】
本発明の好ましい一実施形態による顧客管理サーバ１４０は、前記アクセスポイント１２０及びＰＯＳ端末１３０にネットワーク１７０を介して接続され、アクセスポイント１２０から送信される顧客端末情報を利用して特定テーブルに属する多数の顧客を識別して顧客情報を収集し、また識別された顧客に対してＰＯＳ端末１３０から送信される注文情報、支払情報などの物品／サービス購買情報を識別された顧客情報と関連して保存するように構成される。また、本発明による顧客管理サーバ１４０は、店舗を訪れた同行者を識別し、識別された顧客を一つの同一の友達グループに分類して設定することにより、顧客の社会的関係に基づくマーケティングを行うように構成される。このような顧客管理サーバ１４０の具体的な構成と機能を、図２を参照して後述する。
【００４６】
アクセスポイントの構成
先ず、本発明によるアクセスポイント１２０のメモリーなどの記憶媒体として構成される記憶装置（図示せず）には、店舗内のそれぞれのテーブル別に割り当てられた固有の接続パスワードが保存される。このようなテーブル別の接続パスワードは、テーブル型に保存され、顧客端末１１０の接続時にパスワードの有効性を判断し、顧客端末１１０が属するテーブルを識別するために参照される。一方、このようなテーブル別の接続パスワードは、無線ネットワークのセキュリティを改善し、且つ無線ネットワークの不正使用や乱用を防止するために周期的又は非周期的に変更されるように構成されてもよく、アクセスポイント１２０は、最上位の管理者権限で接続された管理者端末（図示せず）、ＰＯＳ端末１３０又は顧客管理サーバ１４０から変更されたパスワードを受信し、更新できるように構成される。
【００４７】
本発明によるアクセスポイント１２０の機能を全体的に制御するアクセスポイント制御部（図示せず）は、顧客端末１１０から接続要求を受信し、接続要求に含まれた接続パスワードを記憶装置に保存された接続パスワードテーブルを参照してその有効性を判断すると共に、パスワードが有効な場合、顧客端末１１０が属するテーブルを識別する。また、アクセスポイント制御部は、接続された顧客端末１１０の製品のシリアル番号、ＭＡＣアドレス、携帯電話番号など顧客端末１１０を識別することができる顧客端末の識別情報を抽出し、テーブル情報、接続時間の情報などと共に顧客管理サーバ１４０に送信する。
【００４８】
一方、本発明によるアクセスポイント１２０は、マルチＳＳＩＤ（Ｓｅｒｖｉｃｅ  Ｓｅｔ  ＩＤｅｎｔｉｆｉｅｒ）機能を利用して、各テーブル別に互いに分離した別途の無線ネットワークを提供するように構成されることもできる。即ち、本発明によるアクセスポイント１２０は、ＸＸコーヒー＿テーブル１，ＸＸコーヒー＿テーブル２，・・・，ＸＸコーヒー＿テーブルｎなどのように、テーブル別に設定された無線ネットワークのＳＳＩＤを顧客端末１１０に提供し、顧客が、自分が着席したテーブルに対応するＳＳＩＤを選択して接続できるように機能する。このようにテーブル別に分離した無線ネットワークを提供するように構成される場合、セキュリティを強化することができるという効果を有する。
【００４９】
また、本発明によるアクセスポイント１２０は、セキュリティを強化し、接続パスワードの不正使用や乱用及びトラフィック増加による性能低下を防止するために、同一のパスワードで同時に接続できる最大の接続顧客端末の数を制限するように構成されてもよい。例えば、最大の接続顧客端末の数が３個に設定された状態で、同一のパスワードを利用して４番目の顧客端末１１０が接続を要求する場合、アクセスポイント１２０は同時接続制限により接続が遮断されたという案内情報を顧客端末１１０に送信し、該当する端末の接続を遮断する。
【００５０】
一方、上述の実施形態の場合、顧客がテーブルに割り当てられた接続パスワードのみを入力することによりアクセスポイント１２０に接続できるように構成されるが、より多様で効率的に顧客情報を収集するために、本発明の他の実施形態によるアクセスポイント１２０は、認証画面により顧客の携帯電話番号を収集するように構成されてもよい。即ち、本発明によるアクセスポイント１２０は、接続を要求する顧客端末１１０に顧客の携帯電話番号（ＩＤに相当）と接続パスワードを入力することができる認証画面を提供し、顧客の操作によって入力される携帯電話番号及びパスワードを受信して処理する。このような実施形態において、アクセスポイント１２０は、受信した顧客の携帯電話番号を含む顧客端末情報を顧客管理サーバ１４０に送信する。このような方式で実施形態が実装される場合、追加的な顧客情報の取得が可能であり、顧客が顧客端末１１０を交換して顧客端末の識別情報が変更された場合にも、携帯電話番号を利用して顧客を識別することにより継続して顧客管理が可能になるという効果が期待できる。
【００５１】
さらに、本発明によるアクセスポイント１２０は、接続された顧客端末１１０のインターネット利用情報を継続してモニタリングして保存し、顧客端末１１０の接続が終了すると、該当する顧客端末のインターネット利用情報を顧客管理サーバ１４０に送信するように構成されてもよい。顧客管理サーバ１４０に送信された顧客のインターネット利用情報は顧客情報に含まれて保存され、顧客関係管理及びマーケティング戦略において基礎情報として活用される。
【００５２】
顧客管理サーバの構成
図２は本発明の一実施形態による顧客管理サーバの詳細な構成を示す図である。図２を参照して、本発明による顧客管理サーバ１４０の詳細な構成と機能について説明する。
【００５３】
図２に図示されたように、本発明による顧客管理サーバ１４０は、通信部１４２、顧客情報管理部１４４、イベント管理部１４６、マーケティング管理部１４８、データベース制御部１５０、アクセスポイント管理部１５２及びデータベース１６０を含んでもよい。
【００５４】
先ず、顧客管理サーバ１４０に接続されたデータベース１６０には、データベース制御部１５０の制御によって顧客の訪問履歴、訪問回数、注文履歴、顧客の活動に対する情報、顧客の社会的関係情報など顧客に対して収集された全ての情報が顧客情報として構造化して保存される。原則的に、本発明による方法及び装置は顧客の会員登録を必須の手続きとして要求しないため、顧客情報に姓名、住所、携帯電話番号など顧客の個人情報が含まれないが、会員登録により個人情報が取得される場合、顧客情報に含まれて、保存／管理される。
【００５５】
本発明による顧客情報管理部１４４は、顧客の情報を取得し、取得された情報を分析／処理する全体的な役目を果たす。先ず、顧客情報管理部１４４は、上述のようなアクセスポイント１２０から送信される顧客端末の識別情報、テーブル別の接続パスワードに基づき識別されたテーブル情報及び接続時間が含まれた顧客端末情報を受信し、データベース１６０から顧客端末の識別情報に対応する顧客情報を抽出して該当する顧客の活動情報を更新する。例えば、顧客の活動情報として訪問履歴、訪問回数、最近訪問日を顧客情報管理部１４４に記録するように構成された場合、顧客情報管理部１４４の該当する顧客の訪問履歴に顧客端末１１０の接続時点に該当する日付を追加し、訪問回数を１回増加させ、最近訪問日を顧客端末１１０接続時に該当する日付に変更する。勿論、これは例示に過ぎず、必要に応じて様々な種類の情報が保存されるように顧客情報管理部１４４が構成されることができることは当業者にとって自明である。
【００５６】
一方、本発明による顧客情報管理部１４４は、顧客の社会的関係を意味するソーシャル情報を取得するために、アクセスポイント１２０から送信されたテーブル情報を利用するように構成されてもよい。店舗を訪れた同行者は一種類のグループ（友達グループ、仲間グループなど）に分類されてもよく、このような点を利用して顧客情報管理部１４４は、受信したテーブル情報に基づき、同一のテーブル別の単位営業時間内に同一のテーブルで顧客端末１１０を利用してアクセスポイント１２０に接続した複数の顧客を一つのグループと見なし、グループ情報を設定する。例えば、テーブル１に１１１１というパスワードが割り当てられ、テーブル２に２２２２というパスワードが割り当てられた状態で、顧客（顧客端末）Ａ、Ｄ、Ｅが１１１１というパスワードを利用してアクセスポイント１２０に接続し、顧客（顧客端末）Ｂ、Ｃが２２２２というパスワードを利用してアクセスポイント１２０に接続する場合、アクセスポイント１２０は、顧客端末Ａ、Ｄ、Ｅのテーブル情報をテーブル１に識別して顧客管理サーバ１４０に送信し、顧客端末Ｂ、Ｃのテーブル情報をテーブル２に識別して顧客管理サーバ１４０に送信する。この際、顧客情報管理部１４４は、同一のテーブルに属する顧客、即ち、１番テーブルに属する顧客Ａ、Ｄ、Ｅを一つの同一のグループ（グループＡ）に設定してそれぞれの顧客Ａ、Ｄ、Ｅの顧客情報にグループＡという設定されたグループ情報をソーシャル情報として保存し、２番テーブルに属する顧客Ｂ、Ｃを一つの同一のグループ（グループＢ）に設定してそれぞれの顧客Ｂ、Ｃの顧客情報にグループＢという設定されたグループ情報をソーシャル情報として保存する。この際、ソーシャル情報としてグループ情報と共に該当するグループに属する他の顧客の情報が共に顧客情報管理部１４４に保存されるように構成されてもよい。
【００５７】
一方、アクセスポイント１２０に接続するためのパスワードが各テーブルに割り当てられず、顧客別に生成されて顧客に提供されるように構成された実施形態の場合、接続パスワード自体が顧客のグループを識別することができる情報であるため、顧客情報管理部１４４は、同一の接続パスワードを利用してアクセスポイント１２０に接続した複数の顧客を一つのグループと見なし、グループ情報を設定するように構成されてもよい。
【００５８】
また、本発明による顧客情報管理部１４４は、グループを拡張するように構成されてもよい。即ち、上述の例において、顧客Ａが既にソーシャル情報としてグループＡというグループ情報を有している状態で、後ほど、グループ情報を持たない顧客Ｆ、Ｇと共に店舗を訪問する場合、顧客情報管理部１４４は、顧客Ａのソーシャル情報を参照して顧客Ｆ、Ｇを顧客Ａと同一のグループＡに設定し、顧客Ｆ、Ｇの顧客情報にグループＡと設定されたグループ情報をソーシャル情報として保存する。このような役目を果たすように本発明による顧客情報管理部１４４が構成されることにより、時間の経過に伴い、グループ情報が累積され、グループが拡張し、効率的なソーシャルネットワークのマーケティング戦略を立てることができる効果が期待できる。また、同一のグループに属するグループ構成員の情報を利用して、同行した回数、最近の同行した日付などに基づきグループ構成員間の親密度などを分析し、それによるイベント提供や情報案内などの役目を果たしてもよい。また、このような顧客のソーシャル情報はツイッター（ＴＷＩＴＴＥＲ（登録商標））、ｍｅ２ｄａｙ、アメブロ（登録商標）、フェイスブック（ＦＡＣＥＢＯＯＫ（登録商標））などソーシャルネットワークサービスと連携し、グループの拡張やターゲットマーケティングに活用されることができる。即ち、顧客が希望する場合、ソーシャルネットワークを運営するサーバに保存された友達（知り合い）の情報を受信して、顧客が属するグループに共にグループ化することでグループが拡張されることができる。また、データベース１６０に保存された顧客のグループ情報（グループに属するグループ構成員の情報）を、ソーシャルネットワークを運営するサーバに送信して該当するサービス内で友達として登録することでリンクを形成することができる。
【００５９】
また、本発明による顧客情報管理部１４４は、互いに異なるグループを併合することによりグループを拡張するように構成されてもよい。即ち、顧客情報管理部１４４は、同一のテーブルで接続したと判断される顧客情報を分析し、互いに異なるグループ情報を有する複数の顧客が存在する場合、互いに異なるグループを一つのグループに統合し、各顧客のグループ情報を統合されたグループに再設定して保存する役目を果たす。上述の例において、顧客Ａが既にソーシャル情報としてグループＡというグループ情報を有し、顧客Ｂが既にソーシャル情報としてグループＢというグループ情報を有する状態で、後ほど顧客ＡとＢが共に店舗を訪問して同一のテーブルでアクセスポイント１２０に接続した場合、顧客情報管理部１４４は顧客Ａが属するグループＡと顧客Ｂが属するグループＢを一つのグループＣに統合し、グループＡとグループＢに属する顧客全員のソーシャル情報をグループＣとして再設定する。勿論、実施形態の構成によって一つのグループが他のグループに吸収される形でグループの統合が行われてもよい。例えば、グループ構成員の数に基づき、吸収対象のグループと吸収するグループとを区別するように構成された実施形態の場合、上述の例においてグループＡは５名のグループ構成員を有し、グループＢは２名のグループ構成員を有するため、顧客情報管理部１４４はグループＢをグループＡに吸収させ、グループＢに属する顧客全員のソーシャル情報をグループＡとして再設定する。
【００６０】
さらに、本発明による顧客情報管理部１４４は、上述のようなグループ単位のソーシャル情報の他に、顧客に対する１対１の人脈情報を生成／管理するように構成されてもよい。これについて具体的に説明すると、顧客情報管理部１４４は同一のグループと判断される顧客の情報を顧客別に分類／累積して保存することにより顧客別の人脈情報を生成するように構成されてもよい。例えば、顧客Ａが顧客Ｂ、Ｃと共に訪問して同一のパスワード（例えば１１１１）を利用してアクセスポイント１２０に接続する場合、顧客情報管理部１４４は顧客Ａ、Ｂ、Ｃを同一のグループに分類すると同時に、顧客Ｂ、Ｃに対する情報に基づき顧客Ａの人脈情報を生成／保存し、また顧客Ａ、Ｃに対する情報に基づき顧客Ｂの人脈情報を生成／保存し、また顧客Ｂ、Ｃに対する情報に基づき顧客Ｃの人脈情報を生成／保存する。後ほど、顧客Ａが顧客Ｄと共に店舗をまた訪問して同一のパスワード（例えば２２２２）を利用してアクセスポイント１２０に接続する場合、顧客情報管理部１４４は顧客Ｄに対する情報をさらに反映して既に生成された顧客Ａの人脈情報を更新／保存し、顧客Ａに対する情報に基づき顧客Ｄの人脈情報を生成／保存する。上述のような例において、結果的に顧客情報管理部１４４によって生成／更新／保存される顧客Ａの人脈情報は顧客Ｂ、Ｃ、Ｄに対する情報を含み、顧客Ａと関係のある人（友達又は仲間）が顧客Ｂ、Ｃ、Ｄであることが分かる。同様に、顧客Ｂの人脈情報は、顧客Ａ、Ｃに対する情報を含み、顧客Ｃの人脈情報は顧客Ｂ、Ｃに対する情報を含み、顧客Ｄの人脈情報は顧客Ａに対する情報を含むため、各顧客別に該当する顧客が築いている人脈情報を識別することができる。
【００６１】
一方、顧客は顧客端末１１０を利用して本発明による顧客管理サーバ１４０に接続し、顧客管理サーバ１４０に保存された自分の顧客情報を閲覧することができ、上述のようにソーシャルネットワークサービスとの連携機能を利用して友達情報を顧客管理サーバ１４０に登録したり、顧客管理サーバ１４０に登録された自分のグループに属する顧客の情報をアップロードしたりすることができる。また、顧客は顧客端末１１０を利用して本発明による顧客管理サーバ１４０に接続し、上述のように生成／更新／保存される自分の人脈情報を閲覧したり、又は顧客管理サーバ１４０に保存された自分の人脈情報を関連したソーシャルネットワークサービスにアップロードしたりすることができる。
【００６２】
さらに、本発明による顧客情報管理部１４４は、ＰＯＳ端末１３０から送信される特定のテーブルの注文情報を受信して該当するテーブルで接続したと判断される顧客の顧客情報に注文情報を保存するように構成されてもよい。このような顧客の注文情報は、顧客が店舗を訪問したと判断される時、即ち、顧客端末１１０がアクセスポイント１２０に接続された時に、顧客管理サーバ１４０から該当する顧客に対する顧客情報（今までの注文履歴を含む）が管理者端末（図示せず）及び／又はＰＯＳ端末１３０に送信されてオーナ又は店員に露出するように構成されてもよく、この場合、店舗を訪問した顧客に新規メニューを勧め、よく注文するメニューを識別するなどの効果が期待できる。
【００６３】
また、本発明による顧客情報管理部１４４は、ＰＯＳ端末１３０及び／又は管理者端末から送信される特定のテーブルに対する支払者の情報を受信し、受信した支払者の情報を対応する顧客情報に追加して保存するように構成されてもよい。即ち、店舗が飲食店である場合、食事を終えた後、グループの代表として１人が食事代を支払うことになり、この支払時に支払者にポイントカードの会員登録を勧め、支払者が会員登録に同意し、個人情報を提供する場合、ＰＯＳ端末１３０及び／又は管理者端末は会員の登録に同意して個人情報を提供した支払者の情報を顧客管理サーバ１４０に送信し、これを受信した顧客情報管理部１４４は個人情報と顧客情報をマッチングして該当する顧客情報を抽出し、抽出された顧客情報に支払者の個人情報をさらに保存する。一方、このような支払者の場合、グループのリーダー又は最も若い人である場合がほとんどであり、グループの意思決定において影響力のある場合が多いため、支払者と判断される場合、顧客情報管理部１４４は、該当する訪問に対する活動ポイント算出時に一定加重値を付与するように構成されてもよい。
【００６４】
一方、本発明による顧客情報管理部１４４は、顧客の店舗の訪問回数、頻度、注文内容、グループ内での役目などに基づき、顧客の忠誠度を数値化する活動ポイントを算出することでマーケティングに利用できるように構成されてもよい。活動ポイントは顧客が店舗を訪問する度に該当する訪問に対する活動ポイントが算出され、算出された活動ポイントを累積して総活動ポイントが算出される方式で運用される。即ち、顧客情報管理部１４４は、特定のテーブルに対する支払完了後、該当するテーブルで接続したと判断される顧客の活動情報及び受信した支払者の情報に基づき、各顧客の活動ポイントを算出してそれぞれの顧客情報に保存する役目を果たす。このような活動ポイントを算出する際、常連に分類される顧客に対して一般顧客より高い加重値を付与し、上述のように支払者に相当する場合、他の同行者より高い加重値を付与する方式により活動ポイントの算出方式を多様に設定してもよい。活動ポイントの算出方式は必要に応じて多様に変更されてもよく、このような変形、変更にかかわらず、本発明の技術的思想を含む限り、本発明の権利範囲に属するということは当業者にとって自明である。
【００６５】
より好ましく、本発明による顧客情報管理部１４４は、上述のように算出／累積される顧客の活動ポイントに基づいて、特定のグループのグループ構成員のうちグループリーダーを選択するように構成されてもよい。通常、一つの友達、仲間グループ内で積極的に意見を主張するリーダーによって該当するグループの意思が決定される場合が多い。そのため、グループ内でのリーダーを識別して、識別されたリーダーにより多くの特典を提供し、リーダーを中心にマーケティング活動を行う場合、より効率的なマーケティングが可能であるため、本発明による顧客情報管理部１４４は、このような役目を果たすために同一のグループに属する顧客全員の総活動ポイントに基づきグループのリーダーを選択し、選択されたリーダーの顧客情報にグループリーダー情報を保存するように構成される。このようなリーダー情報は、後ほどグループリーダーの店舗訪問が識別された時点（グループリーダーの顧客端末１１０がアクセスポイント１２０に接続した時点）で顧客情報管理部１４４から「１番テーブル、顧客Ａ（グループリーダー）訪問、初回訪問者２名同行の顧客」のような形の追加情報として管理者端末及び／又はＰＯＳ端末に送信される。
【００６６】
また、本発明による顧客情報管理部１４４は、アクセスポイント１２０から送信される特定の顧客端末１１０のインターネット利用情報を受信し、受信したインターネット利用情報を顧客端末１１０に対応する顧客情報に保存する役目を果たすように構成されてもよい。このような顧客のインターネット利用情報は、顧客関係管理及びマーケティング戦略において基礎情報として活用される。例えば、インターネット広告戦略を立てるために、保存された顧客のインターネット利用情報を参照して広告を開始するサイトを選定することもでき、該当するサイトと連携してイベント活動を企画することもできる。顧客管理サーバ１４０は、このような顧客インターネット利用情報を活用するために、顧客情報に基づき様々な分析結果を提供することができるＣＲＭツールが行うように構成されてもよく、この場合、ＣＲＭツールは本発明による顧客管理サーバ１４０に設けられ、データベース１６０及び顧客情報管理部１４４と連携して動作してもよい。
【００６７】
より好ましく、本発明の好ましい一実施形態による顧客管理サーバ１４０は店舗を訪問したグループに対する営業的価値を数値に算出して、算出された価値によって決定されるマーケティング情報を管理者端末（図示せず）及び／又はＰＯＳ端末１３０に送信するイベント管理部１４６をさらに含んでもよい。
【００６８】
即ち、本発明によるイベント管理部１４６は、同一のテーブルで接続したと判断される顧客の数と該当する顧客の活動情報（活動ポイント）に基づき顧客指数を算出し、算出された顧客指数に基づき該当するテーブルがイベントの提供対象テーブルに対応するか否かを判断し、イベントの提供対象に該当する場合、予め設定されたアルゴリズムによって適したイベントを設定して管理者端末及び／又はＰＯＳ端末１３０に送信する。例えば、１番テーブルに着席した４人の顧客が顧客端末１１０を利用してアクセスポイント１２０に接続すると、顧客情報管理部１４４はアクセスポイント１２０から送信される顧客端末情報を利用して４人の顧客に対する顧客情報をデータベース１６０から抽出する。この状態で、４人のうち１人が活動ポイントの高い常連であり、残り３人は一般顧客である場合、イベント管理部１４６は「常連の顧客指数＊１＋一般顧客の顧客指数＊３」という演算により１番テーブルの顧客指数を算出する。顧客指数を等級化して、グレード別にそれぞれ他のイベントを提案するように構成される場合、イベント管理部１４６は、算出された顧客指数が属するグレードを確認し、グレードによるイベント情報を生成して、管理者端末などに送信することでマーケティング情報を提供する。例えば、顧客指数が５０〜６０点である場合、「ミニケーキサービス」イベントが設定された状態で、１番テーブルの顧客指数が５０〜６０点である場合、イベント管理部１４６は「１番テーブルにミニケーキをサービスする」というイベント情報を生成して管理者端末などに送信し、これを確認した店舗のマネージャ又は店員が１番テーブルにミニケーキをサービスで提供することにより顧客指数によるマーケティングソリューションが提供されてもよい。
【００６９】
一方、本発明によるイベント管理部１４６は、同一のテーブルで接続したと判断される顧客の活動情報をさらに参照してイベントの有無及びイベントの内容を設定するように構成されてもよい。例えば、初めての訪問に対する挨拶のイベントが設定されている場合、２番テーブルで接続した顧客全員が初めての訪問に該当する場合、イベント管理部１４６は、「２番テーブルの全員が初回訪問、挨拶にいく」というイベント情報を生成して管理者端末などに送信することで、顧客に対する個人対応マーケティングを行うことができる。
【００７０】
より好ましくは、本発明による顧客管理サーバ１４０は保存された顧客情報に基づきオンラインマーケティングを行うマーケティング管理部１４８をさらに含んでもよい。マーケティング管理部１４８は、保存された顧客情報のうちオンラインプロモーションが可能な情報（Ｅ−メールアドレス、ソーシャルネットワークサービスＩＤ、携帯電話番号など）が保存されている顧客を選択して、Ｅ−メール又はメール／マルチメッセージを利用して、プロモーション、イベント案内、クーポンの送信などのマーケティング活動を行う。マーケティング活動を行う際、マーケティング管理部１４８は、上述のようなリーダー選定処理によりリーダーに選択された顧客を中心に差別化したマーケティングを行うように構成されることがさらに好ましい。即ち、マーケティング管理部１４８は、リーダーに分類される顧客のみを対象とするイベント開催の案内、クーポン送信などのリーダー中心のマーケティング実行ができるように構成されてもよい。
【００７１】
一方、本発明による顧客管理サーバ１４０は、アクセスポイント１２０に最上位の管理者のアカウントに接続し、アクセスポイントの機能設定を管理し、現在の接続機器の情報などの関連情報をモニタリングすることができるアクセスポイント管理部１５２をさらに含んでもよい。上述のように、無線ネットワークのセキュリティ向上及び顧客でない許可されていないゲストの無線ネットワークの無断使用を防止するために周期的にテーブル別のパスワードを変更するように構成された実施形態の場合、アクセスポイント管理部１５２は、パスワードの変更時点が来たか否かを判断して変更時点が来るとアクセスポイント１２０のテーブル別のパスワードを変更し、変更内容をＰＯＳ端末１３０、管理者端末に送信する。また、テーブル別のパスワードの案内がテーブルに備えられる所定のディスプレイ装置により行われる場合、アクセスポイント管理部１５２は所定のディスプレイ装置により変更されたテーブル別のパスワードを案内する。
【００７２】
図２において、通信部１４２、顧客情報管理部１４４、イベント管理部１４６、マーケティング管理部１４８、データベース制御部１５０、アクセスポイント管理部１５２及びデータベース１６０は、物理的に一つのコンピュータ内に実装されてもよく、一部又はそれぞれが物理的に他のコンピュータに実装されてもよく、または同一の機能をする物理的に複数個存在するコンピュータが並列に存在してもよい。このように本発明は各構成部が設けられたコンピュータ又はデータベースの物理的な個数及び位置に限定されず、様々な方式により設計変更できることは本発明が属する技術分野で通常の知識を有した者にとって自明である。
【００７３】
アクセスポイント動作処理の例
図３は本発明の一実施形態によるアクセスポイントで行われる顧客端末識別処理及び情報取得処理を示したフローチャートであり、図５は本発明の一実施形態によるアクセスポイントで接続した顧客端末情報を取得した一例を示した図である。以下、図３及び図５を参照して本発明の一実施形態によるアクセスポイント１２０の動作処理について詳細に説明する。
【００７４】
先ず、アクセスポイント１２０は、サービスされる無線ネットワークに対するＳＳＩＤを送信する状態を維持する。勿論、実施形態によってＳＳＩＤの送信を遮断し、顧客が顧客端末を介して店舗内のアクセスポイント１２０が提供するＳＳＩＤを直接入力して選択して、パスワードを入力することでアクセスポイント１２０に接続してもよい。上述のように、アクセスポイント１２０がマルチＳＳＩＤをサポートする場合、アクセスポイント１２０は各テーブルに対するＳＳＩＤを送信する。
【００７５】
顧客が店舗に入って特定のテーブルに着席し、自分が着席したテーブルに割り当てられたテーブル別の接続パスワードを案内された後、顧客端末１１０を操作してアクセスポイント１２０に接続を要求すると、アクセスポイント１２０は、顧客端末から送信される接続要求を受信し（Ｓ３００）、接続要求に含まれた接続パスワードの有効性を判断する（Ｓ３０２）。受信した接続パスワードが有効ではない場合にはアクセスポイント１２０は案内情報を顧客端末１１０に送信して接続を遮断し、接続パスワードが有効である場合にはアクセスポイント１２０は顧客端末１１０の接続を許可し、顧客端末に対する情報を取得するための処理を行う。
【００７６】
顧客端末１１０が正常に接続されると、アクセスポイント１２０は顧客端末の固有の識別情報を抽出すると同時に保存されたテーブル別の接続パスワードテーブルを参照して、顧客端末が接続時に利用した接続パスワードに基づき顧客端末１１０が属するテーブルを識別し（Ｓ３０４）、抽出された顧客端末の識別情報、テーブル情報及び接続時間を含む顧客端末情報を生成して顧客管理サーバ１４０に送信する（Ｓ３０６）。
【００７７】
図５を参照すると、現在のアクセスポイント１２０に接続された顧客端末１１０情報に対する一例が示される。接続された顧客端末１１０はそれぞれＡ、Ｂ、Ｃ、Ｄ、Ｅで表示されているが、これは説明の便宜のために過ぎず、実際、「００−０６−９７−８Ｆ−４Ｆ−８６」などのＭＡＣアドレス情報のような固有の識別情報で割り当てられる。アクセスポイント１２０は、端末Ａに対して、端末Ａが接続時に利用したパスワード「１１１１」に基づき、端末Ａの属するテーブルが１番テーブルであることを識別し、「抽出された端末Ａの固有の識別情報（００−０６−９７−８Ｆ−ＸＸ−ＸＸ）」、「接続時間（１９：００）」、「テーブル情報（１番テーブル）」を一つの顧客端末情報として生成し、顧客管理サーバ１４０に送信する。同様な方式により、端末Ｂに対する顧客端末情報は、「００−０６−９７−８Ｆ−ＸＸ−ＸＹ」、「１９：１０」、「２番テーブル」で構成され、端末Ｃに対する顧客端末情報は「００−０６−９７−８Ｆ−ＸＸ−ＹＹ」、「１９：３０」、「２番テーブル」で構成され、端末Ｄに対する顧客端末情報は「００−０６−９７−８Ｆ−ＸＹ−ＸＹ」、「１９：４５」、「１番テーブル」で構成され、端末Ｅに対する顧客端末情報は「００−０６−９７−８Ｆ−ＹＹ−ＹＹ」、「２０：００」、「１番テーブル」で構成されて、顧客管理サーバ１４０に送信される。
【００７８】
一方、本発明によるアクセスポイント１２０は、接続を要求した顧客端末１１０の接続後、接続された顧客端末１１０のインターネット利用情報を追跡してモニタリングし（Ｓ３０８）、顧客端末１１０が接続を終了する場合、モニタリングされたインターネット利用情報を顧客管理サーバ１４０に送信する（Ｓ３１０、Ｓ３１２）。図５に示されたように、端末Ａは接続された状態で「ｗｗｗ．ａａａ．ｃｏｍ」、「ｗｗｗ．ｂｂｂ．ｃｏ．ｋｒ」というサイトを訪問したため、アクセスポイント１２０は端末Ａが接続を終了したか否かを判断して、接続を終了した場合には端末Ａに対するインターネット利用情報として「ｗｗｗ．ａａａ．ｃｏｍ、ｗｗｗ．ｂｂｂ．ｃｏ．ｋｒ」を顧客管理サーバ１４０に送信する。他の接続端末Ｂ、Ｃ、Ｄ、Ｅに対しても同様な処理によりそれぞれの端末に対するインターネット利用情報を顧客管理サーバ１４０に送信する。
【００７９】
顧客管理サーバ動作処理の例
図４は本発明の一実施形態による顧客管理サーバで行われる顧客情報の取得及び管理の処理を示したフローチャートであり、図６は本発明の実施形態による管理サーバに保存される顧客情報の一例を示した図である。以下、図４及び図６を参照して本発明の一実施形態によるアクセスポイント１２０の動作処理について詳細に説明する。
【００８０】
先ず、顧客管理サーバ１４０は、アクセスポイントから送信される顧客端末情報を受信し、受信した顧客端末の識別情報を利用してデータベース１６０から対応する顧客情報を読み出す（Ｓ４００）。この際、データベースに受信した顧客端末の識別情報に対応する顧客情報が存在しない場合、顧客管理サーバ１４０は該当する顧客端末を使用する顧客を新規顧客と判断して、新規顧客として登録する（Ｓ４０２、S４０４）。一方、実施形態の構成によって、上述のように、アクセスポイント１２０の接続時、顧客の携帯電話番号の入力を受けるように構成された場合、顧客管理サーバ１４０は受信した顧客の携帯電話番号（又はＳＩＭ（Ｓｕｂｓｃｒｉｂｅｒ  Ｉｄｅｎｔｉｆｉｃａｔｉｏｎ  Ｍｏｄｕｌｅ）カードに保存された登録者情報）と顧客端末の識別情報を全て使用して対応する顧客情報を検索する。顧客管理サーバ１４０は二つの情報のうち一つの情報が一致しない場合、携帯電話番号が登録されているが端末識別情報が相違する場合など、一致しない情報を変更して一致するように顧客情報を修正する。
【００８１】
顧客端末の識別情報に対応する顧客情報を読み出すと、顧客管理サーバ１４０は読み出した顧客情報のうち活動情報を分析して更新する（Ｓ４０６）。例えば、顧客の活動情報として訪問履歴、訪問回数、最近の訪問日を記録するように構成された場合、顧客管理サーバ１４０は、該当する顧客の訪問履歴に顧客端末１１０の接続時に該当する日付を追加し、訪問回数を１回増加させ、最近の訪問日を顧客端末１１０の接続時に該当する日付に変更する。即ち、図６に示された顧客Ａに対して読み出した顧客Ａの活動情報が「訪問回数８回」、「最近訪問日：０４．１５」の状態で、０４月２０日に顧客Ａが訪問した場合、顧客管理サーバ１４０は、顧客Ａの今回の訪問を反映して顧客Ａの活動情報を「訪問回数９回」、「最近訪問日：０４．２０」に変更して顧客情報として保存する。
【００８２】
顧客端末１１０に対応する顧客の活動情報分析及び更新が完了すると、顧客管理サーバ１４０は受信したテーブル情報に基づき読み出した顧客情報のうちソーシャル情報を分析して設定及び更新する（Ｓ４０８）。上述のように、店舗を訪れた同行者は一つの同一のグループ（友達グループ、仲間グループなど）に分類されることができるため、このような点を利用して顧客管理サーバ１４０は、受信したテーブル情報に基づき同一のテーブル別の単位営業時間内に同一のテーブルで顧客端末１１０を利用してアクセスポイント１２０に接続した複数の顧客を一つのグループと見なし、グループ情報を設定／保存する。
【００８３】
図６に示された例において、テーブル１に１１１１というパスワードが割り当てられ、テーブル２に２２２２というパスワードが割り当てられた状態で、顧客（顧客端末）Ａ、Ｄ、Ｅが１１１１というパスワードを利用してアクセスポイント１２０に接続し、顧客（顧客端末）Ｂ、Ｃが２２２２というパスワードを利用してアクセスポイント１２０に接続する場合、顧客管理サーバ１４０は、アクセスポイント１２０から送信された顧客端末のテーブル情報を参照して、同一のテーブルに属する顧客、即ち、１番テーブルに属する顧客Ａ、Ｄ、Ｅを同一のグループ（グループＡ）に設定し、それぞれの顧客Ａ、Ｄ、Ｅの顧客情報にグループＡとして設定されたグループ情報をソーシャル情報として保存し、２番テーブルに属する顧客Ｂ、Ｃを一つの同一のグループ（グループＢ）に設定し、それぞれの顧客Ｂ、Ｃの顧客情報に、グループＢとして設定されたグループ情報をソーシャル情報として保存する。
【００８４】
一方、Ｓ４０８段階において、顧客Ａが既にソーシャル情報としてグループＡというグループ情報を有する状態で、後ほどグループ情報を持たない顧客Ｆ、Ｇと共に店舗を訪問する場合、顧客管理サーバ１４０は、顧客Ａのソーシャル情報を参照して、顧客Ｆ、Ｇを顧客Ａと同一のグループＡに設定し、顧客Ｆ、Ｇの顧客情報にグループＡとして設定されたグループ情報をソーシャル情報として保存することにより、グループを拡張する。また、上述のＳ４０８段階において、顧客Ａが既にソーシャル情報としてグループＡというグループ情報を有しており、顧客Ｂが既にソーシャル情報としてグループＢというグループ情報を有している状態で、後ほど顧客ＡとＢが共に店舗を訪問して同一のテーブルでアクセスポイント１２０に接続した場合、顧客管理サーバ１４０は、顧客Ａが属するグループＡと顧客Ｂが属するグループＢを一つのグループＣに統合し、グループＡとグループＢに属する顧客全員のソーシャル情報をグループＣとして再設定する。
【００８５】
顧客のソーシャル情報分析、設定及び更新が完了すると、顧客管理サーバ１４０はＰＯＳ端末１３０から送信される特定のテーブルの注文情報を受信し、該当するテーブルで接続したと判断される顧客の顧客情報に注文情報を保存する（Ｓ４１０）。注文情報は実施形態によって様々な形態で記録されてもよく、図６に示された例では店舗内で提供されるメニューに対して特定の顧客が何回注文したかに対する情報が保存されるように構成された実施形態が示されている。図６に示されたように、顧客Ａは今までの全ての訪問で、「メニュー１」を１回、「メニュー２」を５回、「メニュー３」を２回、「メニュー４」を３回注文したため、顧客Ａが好きなメニューは「メニュー２」であり、好きでないメニューは「メニュー１」であることが分かる。従って、実施形態によって、顧客Ａが店舗を訪問したと識別された時に、顧客管理サーバ１４０は、顧客Ａの注文情報をＰＯＳ端末１３０に送信してサービスを提供するための参照情報として活用する。
【００８６】
注文情報のマッピング（ｍａｐｐｉｎｇ）の後（注文情報はマッピングの前に発生してもよい）、顧客管理サーバ１４０は、同一のテーブルで接続したと判断される顧客の数と該当する顧客の活動情報（活動ポイント）に基づき顧客指数を算出する（Ｓ４１２）。顧客指数とは上述のように算出対象となるテーブルの顧客が有する営業的価値を数値化したものであり、顧客管理サーバ１４０は算出された顧客指数に基づきマーケティングソリューションを決定し、ＰＯＳ端末１３０に送信する（Ｓ４１４、Ｓ４１６、Ｓ４１８）。図６に示された例において、１番テーブルの場合、３人の顧客Ａ、Ｄ、Ｅが訪問し、顧客Ａの活動ポイントが高く、２人の顧客Ｂ、Ｃが訪問した２番テーブルより高い顧客指数が算出される。従って、１番テーブルに２番テーブルより良質のサービスを提供する必要があり、顧客管理サーバ１４０は算出された顧客指数に基づきそれぞれのテーブルに対するイベント情報を生成して、ＰＯＳ端末１３０などに送信することにより、営業的価値によるマーケティングソリューションを提供する。
【００８７】
顧客管理サーバ１４０は、ＰＯＳ端末１３０から送信される特定のテーブルに対する支払情報、支払者の情報を受信し、受信した支払者の情報に対応する顧客情報に追加して保存する（Ｓ４２０）。上述のように支払者として識別される顧客に対して、顧客管理サーバ１４０は、該当する訪問に対する活動ポイント算出の時に加重値を付与する。
【００８８】
顧客管理サーバ１４０は、アクセスポイント１２０から送信される特定の顧客端末１１０のインターネット利用情報を受信し、受信したインターネット利用情報を顧客端末１１０に対応する顧客情報に保存する（Ｓ４２２）。このようなＳ４２２段階は、上述Ｓ４２０段階と同時に又は別に行われてもよく、互いに関連せず、必ずしもＳ４２０段階の後に行われることに限定されない。即ち、顧客端末１１０の接続終了は顧客の操作によって支払前に行われる可能性があるため、アクセスポイント１２０のインターネット利用情報送信のイベントは、ひたすら顧客端末１１０の接続終了有無によって発生するか否かが決定されるため、両段階は独立して行われる。
【００８９】
最後に、顧客管理サーバ１４０は、支払が完了した後、該当するテーブルに属するそれぞれの顧客に対する活動ポイントを算出し、算出された活動ポイントを顧客情報に保存する（Ｓ４２４）。
【００９０】
一方、図６を参照して、本発明の一実施形態による顧客情報の構成について説明する。図６に示したように、一実施形態による顧客情報は「顧客フィールド」、「活動情報フィールド」、「ソーシャル情報フィールド」、「注文情報フィールド」、「インターネット利用情報フィールド」、「活動指数フィールド」を含んでもよい。「顧客フィールド」には顧客を識別することができる固有の識別子が保存され、顧客端末の固有の識別情報及び／又は顧客の携帯電話番号などがそのまま保存されてもよく、又はそれに対応して顧客管理サーバ１４０から与えられる顧客別の固有の識別子が保存されてもよい。「活動情報フィールド」には顧客の活動情報として訪問履歴、訪問回数、最近の訪問日などの情報が保存されてもよく、「ソーシャル情報フィールド」には該当する顧客のグループ情報、グループに属するグループ構成員の情報、グループリーダーの情報などが保存されてもよい。また、「注文情報フィールド」には該当する顧客の全体的な注文状況、最近の注文内容などの情報が保存されてもよく、「インターネット利用情報フィールド」には顧客端末１１０のインターネット利用内容、特定のサイトの訪問の有無及び回数、主に訪問するサイトなどの情報が保存されてもよい。「活動指数フィールド」には該当する顧客の総累積活動ポイントが保存され、活動指数フィールドに保存された活動ポイントを利用してグループのリーダーを選定したり又は変更を行ったりすることができる。一方、図示していないが、顧客がポイントカードの会員に登録する場合、入力される会員の個人情報もまたそれぞれのフィールドに構造化して保存される。
【００９１】
以上で説明した本発明による実施例は、多様なコンピュータ構成要素によって実行されるプログラム命令語の形態で実装され、コンピュータ読み取り可能な記録媒体に記録されてもよい。コンピュータ読み取り可能な記録媒体は、プログラム命令語、データファイル、データ構造などを単独に、又は組み合わせて含んでもよい。コンピュータ読み取り可能な記録媒体に記録されるプログラム命令語は、本発明のために特に設計及び構成されたものであってもよく、コンピュータソフトウェア分野の当業者に公知されて使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤなどのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）及びＲＯＭ、ＲＡＭ、フラッシュメモリなどのような、プログラム命令語を保存及び実行するように特に構成されたハードウェア装置が含まれる。プログラム命令語の例としては、コンパイラーによって作られるもののような機械語コードだけでなく、インタープリターなどを用いてコンピュータによって実行可能な高級言語コードも含まれる。ハードウェア装置は、本発明による処理を行うために一つ以上のソフトウェアモジュールとして動作するように構成されてもよく、その逆も同様である。
【００９２】
以上、本発明を具体的な構成要素などのような特定事項と限定された実施例及び図面を参照して説明したが、これは本発明のより全体的な理解を容易にするために提供されたものにすぎず、本発明は実施例によって限定されず、本発明が属する分野で通常的な知識を有した者であれば、このような記載から多様な修正及び変形が可能である。
【００９３】
従って、本発明の思想は前記実施例に限定されて決まってはならず、添付する特許請求範囲だけでなく、特許請求範囲と均等又は等価的に変形された全ては、本発明の思想の範疇に属するとするべきであろう。
【符号の説明】
【００９４】
１００  テーブル
１１０  顧客端末
１２０  アクセスポイント
１３０  ＰＯＳ端末
１４０  顧客管理サーバ
１４２  通信部
１４４  顧客情報管理部
１４６  イベント管理部
１４８  マーケティング管理部
１５０  データベース制御部
１５２  ＡＰ管理部
１６０  データベース
１７０  ネットワーク
１８０  インターネット
【図１】
0005980585.tif 000002
【図２】
0005980585.tif 000003
【図３】
0005980585.tif 000004
【図４】
0005980585.tif 000005
【図５】
0005980585.tif 000006
【図６】
0005980585.tif 000007